(57)【要約】      （修正有）【課題】異なる平面の固定に適応し、装置の使用範囲を上げ、光源の位置を調節することにより、目が光源の直射を受けないベッドサイドブックライトを提供する。【解決手段】ベッドサイドブックライトは、スイッチ箱１１を含む。スイッチ箱１１の中にはスイッチチャンバ１２が設置されている。スイッチチャンバ１２の円周面外側端面には、環形のように分布される三つの電球カバーが設置されている。電球カバーの中には、スイッチチャンバ１２と相通する照射チャンバが設置されている。照射チャンバの中には光源装置９０１が設置されており、スイッチチャンバ１２の頂端内壁の中には上下に伸びている伝動軸２１が回転できるように設置されている。【選択図】図１
2020170695.tif 000002
【特許請求の範囲】
【請求項１】
ベッドサイドブックライトであって、スイッチ箱を含み、前記スイッチの中にはスイッチチャンバが設置されており、前記スイッチチャンバの円周面外側端面には環形のように分布される三つの電球カバーが設置されており、前記電球カバーの中には前記スイッチチャンバと相通する照射チャンバが設置されており、前記照射チャンバの中には光源装置が設置されており、前記スイッチチャンバの頂端内壁の中には上下に伸びている伝動軸が回転できるように設置されており、前記伝動軸には選択装置が設置されており、前記選択装置は前記光源装置に対して制御を行い、前記伝動軸の上端の末端には変形できる枠が設置されており、前記枠のうち前記伝動軸から離れている一端には固定軸が設置されており、前記固定軸の下端には台座が回転できるように連結され、前記台座の中には伝動チャンバが設置されており、前記伝動チャンバの中には挟み装置が回転できるように設置されており、前記挟み装置の中には前記伝動チャンバの底端の外側から伸び出ており且つ左右に対称である固定部品が設置されている；前記固定部品は置かれた場所の端面と接触し、前記挟み装置によって本発明を固定し、前記枠を手動で曲げ、輝度需要によって前記選択装置を下へ移動させ、前記光源装置を開けて読書することを特徴とするベッドサイドブックライト。
【請求項２】
前記光源装置は前記照射チャンバの下端内壁に相通して設置される集光穴を含み、前記照射チャンバの頂端内壁には前記集光穴の上側に位置する電球が設置されており、前記照射チャンバの中には上下に伸びている駆動軸が回転できるように連結され、前記駆動軸には前記電球の下側に位置する遮光板が設置されており、前記駆動軸には前記遮光板の上側に位置する回転ブロックが設置されており、前記回転ブロックの上側と前記照射チャンバの頂端内壁との間にはねじり撥条が連結されている；前記回転ブロックを回し、前記遮光板を前記集光穴の上方に覆わせなくなり、更に前記電球の光源は前記集光穴から外側に照射できることを特徴とする請求項１に記載のベッドサイドブックライト。
【請求項３】
前記選択装置は前記スイッチチャンバの頂端内壁に相通して設置されるスライドリングを含み、前記伝動軸には環形のように分布される三つの支持棒がスライドできるように連結され、前記支持棒の上端には前記スライドリングとスライドできるように連結され且つ高さが順に低くなる連結棒が設置されており、前記伝動軸には前記スイッチチャンバの頂端外側に位置する選択ボードがスプラインにより連結され、前記選択ボードの下側と前記スイッチチャンバの頂端端面との間には圧縮撥条が連結され、前記選択ボードには前記連結棒とスライドできるように連結される六つの挿入孔が設置されている；前記選択ボードを押え、下への押さえた距離によって、前記挿入孔と前記連結棒との連結した数量が異なり、更に点灯したランプの数量が異なることを特徴とする請求項１に記載のベッドサイドブックライト。
【請求項４】
前記挟み装置は前記伝動チャンバと伝動できるように連結され且つ左右に伸びているネジボルトを含み、前記ネジボルトには左右に対称的な並進ブロックがネジ山により連結され、前記並進ブロックと前記固定部品との間がスライドできるように連結され、前記ネジボルトには右端の前記並進ブロックの右側に位置する左継手が設置されており、前記ネジボルトには前記左継手の左側に位置するラチェットがスライドできるように設置されており、前記伝動チャンバの頂端内壁には前記ラチェットと当接する位置制限ボードが設置されており、前記伝動チャンバの右端内壁の中には回転軸がスライドできるように連結され、前記回転軸には前記左継手と当接する右継手が設置されており、前記回転軸には前記右継手の右側に位置する固定リングが設置されており、前記固定リングには前記ラチェットと当接する推し棒が設置されており、前記回転軸には前記伝動チャンバの右端外側に位置するハンドルが設置されており、前記ハンドルの左側と前記伝動チャンバの右端端面との間にはリセット撥条が連結されている；前記ハンドルを推し動かし、前記左継手と前記右継手とを当接させ、前記推し棒によって前記ラチェットを推し動かして前記位置制限ボードとの当接状態から離脱させ、前記ネジボルトが回転して前記並進ブロックを相互に近くように移動連動させることを特徴とする請求項１に記載のベッドサイドブックライト。
【請求項５】
前記固定部品は前記伝動チャンバの下端内壁に相通して設置される左右に対称的なスライド溝を含み、前記スライド溝の中には前記並進ブロックとスライドできるように連結されるスライド棒がスライドできるように連結され、前記スライド棒の下端には吸盤が設置されており、前記スライド棒のうち対称中心に近接している側には回転し回復できる当接ボードがスライドできるように連結されている；水平面では前記吸盤によって固定し、非水平面上では前記当接ボードの間の距離の変化によって本発明を挟むことを特徴とする請求項４に記載のベッドサイドブックライト。
【発明の詳細な説明】
【技術分野】
【０００１】
本発明は灯具技術分野を取り上げて、具体的にはベッドサイドブックライトである。
【背景技術】
【０００２】
過半数の人が眠る前に本を読み、自分の文化リテラシーを充実し、しかし、天井ライトを開けて読書すれば、少し電気を無駄使いし、それに光源が上から直射して目に良くなく、そのためベッドサイドに置き、それに読書に使われるライトは業界発展の必然流れになる。
【先行技術文献】
【特許文献】
【０００３】
【特許文献１】中国特許出願公開第103672552号明細書
【発明の概要】
【発明が解決しようとする課題】
【０００４】
本発明の目的はベッドサイドブックライトを提供し、それは現有の技術の欠点を克服できる。
【課題を解決するための手段】
【０００５】
本発明におけるベッドサイドブックライトは、スイッチ箱を含み、前記スイッチの中にはスイッチチャンバが設置されており、前記スイッチチャンバの円周面外側端面には環形のように分布される三つの電球カバーが設置されており、前記電球カバーの中には前記スイッチチャンバと相通する照射チャンバが設置されており、前記照射チャンバの中には光源装置が設置されており、前記スイッチチャンバの頂端内壁の中には上下に伸びている伝動軸が回転できるように設置されており、前記伝動軸には選択装置が設置されており、前記選択装置は前記光源装置に対して制御を行い、前記伝動軸の上端の末端には変形できる枠が設置されており、前記枠のうち前記伝動軸から離れている一端には固定軸が設置されており、前記固定軸の下端には台座が回転できるように連結され、前記台座の中には伝動チャンバが設置されており、前記伝動チャンバの中には挟み装置が回転できるように設置されており、前記挟み装置の中には前記伝動チャンバの底端の外側から伸び出ており且つ左右に対称である固定部品が設置されている；前記固定部品は置かれた場所の端面と接触し、前記挟み装置によって本発明を固定し、前記枠を手動で曲げ、輝度需要によって前記選択装置を下へ移動させ、前記光源装置を開けて読書する。
【０００６】
更なる技術方案、前記光源装置は前記照射チャンバの下端内壁に相通して設置される集光穴を含み、前記照射チャンバの頂端内壁には前記集光穴の上側に位置する電球が設置されており、前記照射チャンバの中には上下に伸びている駆動軸が回転できるように連結され、前記駆動軸には前記電球の下側に位置する遮光板が設置されており、前記駆動軸には前記遮光板の上側に位置する回転ブロックが設置されており、前記回転ブロックの上側と前記照射チャンバの頂端内壁との間にはねじり撥条が連結されている；前記回転ブロックを回し、前記遮光板を前記集光穴の上方に覆わせなくなり、更に前記電球の光源は前記集光穴から外側に照射できる。
【０００７】
更なる技術方案、前記選択装置は前記スイッチチャンバの頂端内壁に相通して設置されるスライドリングを含み、前記伝動軸には環形のように分布される三つの支持棒がスライドできるように連結され、前記支持棒の上端には前記スライドリングとスライドできるように連結され且つ高さが順に低くなる連結棒が設置されており、前記伝動軸には前記スイッチチャンバの頂端外側に位置する選択ボードがスプラインにより連結され、前記選択ボードの下側と前記スイッチチャンバの頂端端面との間には圧縮撥条が連結され、前記選択ボードには前記連結棒とスライドできるように連結される六つの挿入孔が設置されている；前記選択ボードを押え、下への押さえた距離によって、前記挿入孔と前記連結棒との連結した数量が異なり、更に点灯したランプの数量が異なる。
【０００８】
更なる技術方案、前記挟み装置は前記伝動チャンバと伝動できるように連結され且つ左右に伸びているネジボルトを含み、前記ネジボルトには左右に対称的な並進ブロックがネジ山により連結され、前記並進ブロックと前記固定部品との間がスライドできるように連結され、前記ネジボルトには右端の前記並進ブロックの右側に位置する左継手が設置されており、前記ネジボルトには前記左継手の左側に位置するラチェットがスライドできるように設置されており、前記伝動チャンバの頂端内壁には前記ラチェットと当接する位置制限ボードが設置されており、前記伝動チャンバの右端内壁の中には回転軸がスライドできるように連結され、前記回転軸には前記左継手と当接する右継手が設置されており、前記回転軸には前記右継手の右側に位置する固定リングが設置されており、前記固定リングには前記ラチェットと当接する推し棒が設置されており、前記回転軸には前記伝動チャンバの右端外側に位置するハンドルが設置されており、前記ハンドルの左側と前記伝動チャンバの右端端面との間にはリセット撥条が連結されている；前記ハンドルを推し動かし、前記左継手と前記右継手とを当接させ、前記推し棒によって前記ラチェットを推し動かして前記位置制限ボードとの当接状態から離脱させ、前記ネジボルトが回転して前記並進ブロックを相互に近くように移動連動させる。
【０００９】
更なる技術方案、前記固定部品は前記伝動チャンバの下端内壁に相通して設置される左右に対称的なスライド溝を含み、前記スライド溝の中には前記並進ブロックとスライドできるように連結されるスライド棒がスライドできるように連結され、前記スライド棒の下端には吸盤が設置されており、前記スライド棒のうち対称中心に近接している側には回転し回復できる当接ボードがスライドできるように連結されている；水平面では前記吸盤によって固定し、非水平面上では前記当接ボードの間の距離の変化によって本発明を挟む。
【発明の効果】
【００１０】
本発明の有益な効果は下記の通りである：
【００１１】
本発明は異なる接触面によって、真空吸着又は挟みを利用して設備を固定し、適用性が高く、また、変形できる枠と光源の輝度を調節可能な構造を採用して、目が光源の直射或いは強光の刺激を受けないようにさせる。
【図面の簡単な説明】
【００１２】
便利に説明するため、本発明は下記の具体実施例及び附図によって詳しく説明する。
【図１】図１は本発明のベッドサイドブックライトの全体構成模式図であり；
【図２】図２は図１の「Ａ−Ａ」の構成模式図であり；
【図３】図３は図１の「Ｂ−Ｂ」の構成模式図であり；
【図４】図４は図１の「Ｃ」の拡大構成模式図である。
【発明を実施するための形態】
【００１３】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
本発明におけるベッドサイドブックライトは、スイッチ箱１１を含み、前記スイッチ１１の中にはスイッチチャンバ１２が設置されており、前記スイッチチャンバ１２の円周面外側端面には環形のように分布される三つの電球カバー３６が設置されており、前記電球カバー３６の中には前記スイッチチャンバ１２と相通する照射チャンバ３７が設置されており、前記照射チャンバ３７の中には光源装置９０１が設置されており、前記スイッチチャンバ１２の頂端内壁の中には上下に伸びている伝動軸２１が回転できるように設置されており、前記伝動軸２１には選択装置９０２が設置されており、前記選択装置９０２は前記光源装置９０１に対して制御を行い、前記伝動軸２１の上端の末端には変形できる枠２２が設置されており、前記枠２２のうち前記伝動軸２１から離れている一端には固定軸２８が設置されており、前記固定軸２８の下端には台座２５が回転できるように連結され、前記台座２５の中には伝動チャンバ２６が設置されており、前記伝動チャンバ２６の中には挟み装置９０３が回転できるように設置されており、前記挟み装置９０３の中には前記伝動チャンバ２６の底端の外側から伸び出ており且つ左右に対称である固定部品９０４が設置されている；前記固定部品９０４は置かれた場所の端面と接触し、前記挟み装置９０３によって本発明を固定し、前記枠２２を手動で曲げ、輝度需要によって前記選択装置９０２を下へ移動させ、前記光源装置９０１を開けて読書する。
【００１５】
有益なように、前記光源装置９０１は前記照射チャンバ３７の下端内壁に相通して設置される集光穴１３を含み、前記照射チャンバ３７の頂端内壁には前記集光穴１３の上側に位置する電球１５が設置されており、前記照射チャンバ３７の中には上下に伸びている駆動軸３５が回転できるように連結され、前記駆動軸３５には前記電球１５の下側に位置する遮光板１４が設置されており、前記駆動軸３５には前記遮光板１４の上側に位置する回転ブロック３４が設置されており、前記回転ブロック３４の上側と前記照射チャンバ３７の頂端内壁との間にはねじり撥条１６が連結されている；前記回転ブロック３４を回し、前記遮光板１４を前記集光穴１３の上方に覆わせなくなり、更に前記電球１５の光源は前記集光穴１３から外側に照射できる。
【００１６】
有益なように、前記選択装置９０２は前記スイッチチャンバ１２の頂端内壁に相通して設置されるスライドリング１７を含み、前記伝動軸２１には環形のように分布される三つの支持棒２４がスライドできるように連結され、前記支持棒２４の上端には前記スライドリング１７とスライドできるように連結され且つ高さが順に低くなる連結棒２３が設置されており、前記伝動軸２１には前記スイッチチャンバ１２の頂端外側に位置する選択ボード１９がスプラインにより連結され、前記選択ボード１９の下側と前記スイッチチャンバ１２の頂端端面との間には圧縮撥条１８が連結され、前記選択ボード１９には前記連結棒２３とスライドできるように連結される六つの挿入孔２０が設置されている；前記選択ボード１９を押え、下への押さえた距離によって、前記挿入孔２０と前記連結棒２３との連結した数量が異なり、更に点灯したランプの数量が異なる。
【００１７】
有益なように、前記挟み装置９０３は前記伝動チャンバ２６と伝動できるように連結され且つ左右に伸びているネジボルト３３を含み、前記ネジボルト３３には左右に対称的な並進ブロック２７がネジ山により連結され、前記並進ブロック２７と前記固定部品９０４との間がスライドできるように連結され、前記ネジボルト３３には右端の前記並進ブロック２７の右側に位置する左継手４５が設置されており、前記ネジボルト３３には前記左継手４５の左側に位置するラチェット４３がスライドできるように設置されており、前記伝動チャンバ２６の頂端内壁には前記ラチェット４３と当接する位置制限ボード３８が設置されており、前記伝動チャンバ２６の右端内壁の中には回転軸４１がスライドできるように連結され、前記回転軸４１には前記左継手４５と当接する右継手４６が設置されており、前記回転軸４１には前記右継手４６の右側に位置する固定リング４０が設置されており、前記固定リング４０には前記ラチェット４３と当接する推し棒３９が設置されており、前記回転軸４１には前記伝動チャンバ２６の右端外側に位置するハンドル５５が設置されており、前記ハンドル４４の左側と前記伝動チャンバ２６の右端端面との間にはリセット撥条４２が連結されている；前記ハンドル４４を推し動かし、前記左継手４５と前記右継手４６とを当接させ、前記推し棒３９によって前記ラチェット４３を推し動かして前記位置制限ボード３８との当接状態から離脱させ、前記ネジボルト３３が回転して前記並進ブロック２７を相互に近くように移動連動させる。
【００１８】
有益なように、前記固定部品９０４は前記伝動チャンバ２６の下端内壁に相通して設置される左右に対称的なスライド溝３２を含み、前記スライド溝３２の中には前記並進ブロック２７とスライドできるように連結されるスライド棒３１がスライドできるように連結され、前記スライド棒３１の下端には吸盤３０が設置されており、前記スライド棒３１のうち対称中心に近接している側には回転し回復できる当接ボード２９がスライドできるように連結されている；水平面では前記吸盤３０によって固定し、非水平面上では前記当接ボード２９の間の距離の変化によって本発明を挟む。
【００１９】
初期状態に、連結棒２３はまだ挿入孔２０と連結離脱しなく、且つ支持棒２４と回転ブロック３４との間がすれ違って分布され、この時、遮光板１４が集光穴１３の上端に覆い、光源は電球カバー３６の外灘に射出できなく、左継手４５と右継手４６とがまだ当接連結されなく、同時にラチェット４３と位置制限ボード３８とが当接されてネジボルト３３の回転を制限する。
【００２０】
装置が水平面上で作動する時、吸盤３０を直接に力を入れて強く押え、大気圧によって本発明を吸い付け、非水平面上で作動する時、回転軸４１を推し動かして左へ移動させ、左継手４５と右継手４６が当接するようになる時、推し棒３９がラチェット４３を推し動かして左へ移動させて位置制限ボード３８との当接を離脱させ、それによりネジボルト３３の回転に対する制限を解除し、バンドル４４を回して回転軸４１と、右継手４６と、左継手４５とによってネジボルト３３を回転連動させ、ネジボルト３３はネジ山伝動によって並進ブロック２７を相互に近づくように移動させ、それによりスライド棒３１が移動して当接ボード２９を固定面にくっつかせ、当接ボード２９が完全に広げて設備をロックする時、使用者は自身の需要によって枠２２を折畳み、スイッチ箱１１を目の下側に位置させ、そして自身の需要によって前記選択ボード２９を押えて下へ移動させ、挿入孔２０と連結棒２３とをスライドできるように連結し、そして選択ボード１９を六分の一周に回転し、連結棒２３をスライドリング１７の中でスライド連動させ、支持棒２４と回転ブロック３４との当接によって、回転ブロック３４に駆動軸３４を回転連動させて電球１５を灯し、同時に、駆動軸３５によって遮光板１４を回し、それにより電球１５の光が集光穴１３を通じて外側に照射し、読書環境を提供する。
【００２１】
作業が終わった後、圧縮撥条１８と、ねじり撥条１６と、リセット撥条４２の弾力回復によって各部品を復帰させ、次の使用に便利を与える。
【００２２】
以上の方式により、本分野の技術人員は本発明の範囲の中に作業モードによって様々な変化ができる。
【図１】
2020170695.tif 000003
【図２】
2020170695.tif 000004
【図３】
2020170695.tif 000005
【図４】
2020170695.tif 000006
【手続補正書】
【提出日】令和1年6月23日(2019.6.23)
【手続補正１】
【補正対象書類名】特許請求の範囲
【補正対象項目名】全文
【補正方法】変更
【補正の内容】
【特許請求の範囲】
【請求項１】
ベッドサイドブックライトであって、スイッチ箱を含み、前記スイッチ箱の中にはスイッチチャンバが設置されており、前記スイッチチャンバの円周面外側端面には環形のように分布される三つの電球カバーが設置されており、前記電球カバーの中には前記スイッチチャンバと相通する照射チャンバが設置されており、前記照射チャンバの中には光源装置が設置されており、前記スイッチチャンバの頂端内壁の中には上下に伸びている伝動軸が回転できるように設置されており、前記伝動軸には選択装置が設置されており、前記選択装置は前記光源装置に対して制御を行い、前記伝動軸の上端の末端には変形できる枠が設置されており、前記枠のうち前記伝動軸から離れている一端には固定軸が設置されており、前記固定軸の下端には台座が回転できるように連結され、前記台座の中には伝動チャンバが設置されており、前記伝動チャンバの中には挟み装置が設置されており、前記挟み装置の中には前記台座の下側端面から伸び出ており且つ左右に対称である固定部品が設置されており、
前記固定部品は置かれた場所の端面と接触し、前記挟み装置によって本発明を固定し、前記枠を手動で曲げ、輝度需要によって前記選択装置を下へ移動させ、前記光源装置を開けて読書することを特徴とするベッドサイドブックライト。
【請求項２】
前記光源装置は前記照射チャンバの下端内壁に相通して設置される集光穴を含み、前記照射チャンバの頂端内壁には前記集光穴の上側に位置する電球が設置されており、前記照射チャンバの中には上下に伸びている駆動軸が回転できるように連結され、前記駆動軸には前記電球の下側に位置する遮光板が設置されており、前記駆動軸には前記遮光板の上側に位置する円盤状の回転ブロックが設置されており、前記回転ブロックの上側と前記照射チャンバの頂端内壁との間にはねじり撥条が連結されており、
前記回転ブロックを回し、前記遮光板を前記集光穴の上方に覆わせなくなり、更に前記電球の光源は前記集光穴から外側に照射できることを特徴とする請求項１に記載のベッドサイドブックライト。
【請求項３】
前記選択装置は前記スイッチチャンバの頂端内壁に相通して設置されるスライドリングを含み、前記伝動軸には環形のように分布される三つの支持棒がスライドできるように連結され、前記支持棒の上端には前記スライドリングとスライドできるように連結され且つ高さが順に低くなる連結棒が設置されており、前記伝動軸には前記スイッチチャンバの頂端外側に位置する選択ボードがスプラインにより連結され、前記選択ボードの下側と前記スイッチチャンバの頂端端面との間には圧縮撥条が連結され、前記選択ボードには前記連結棒とスライドできるように連結される六つの挿入孔が設置されており、
前記選択ボードを押え、下への押さえた距離によって、前記挿入孔と前記連結棒との連結した数量が異なることで、前記選択ボードを回転させると異なった数の前記連結棒を回転連動させることができ、更に異なった数の前記支持棒を回転連動させることができ、更に異なった数の前記回転ブロック及び前記駆動軸を回転連動させることができ、更に前記遮光板と前記集光穴とを連動させてずらすことができ、この時、対応する前記電球の光が前記集光穴から射出されることを特徴とする請求項２に記載のベッドサイドブックライト。
【請求項４】
前記挟み装置は前記伝動チャンバと伝動できるように連結され且つ左右に伸びているネジボルトを含み、前記ネジボルトには左右に対称的な並進ブロックがネジ山により連結され、前記並進ブロックと前記固定部品との間がスライドできるように連結され、前記ネジボルトには右端の前記並進ブロックの右側に位置する左継手が設置されており、前記ネジボルトには前記左継手の左側に位置するラチェットがスライドできるように設置されており、前記伝動チャンバの頂端内壁には前記ラチェットと当接する位置制限ボードが設置されており、前記伝動チャンバの右端内壁の中には回転軸がスライドできるように連結され、前記回転軸には前記左継手と当接する右継手が設置されており、前記回転軸には前記右継手の右側に位置する固定リングが設置されており、前記固定リングには前記ラチェットと当接する推し棒が設置されており、前記回転軸の右端と前記伝動チャンバの右端端面との間にはリセット撥条が連結されており、
前記回転軸の右端を推し動かし、前記左継手と前記右継手とを当接させ、前記推し棒によって前記ラチェットを推し動かして前記位置制限ボードとの当接状態から離脱させ、前記ネジボルトが回転して前記並進ブロックを相互に近くように移動連動させることを特徴とする請求項１に記載のベッドサイドブックライト。
【請求項５】
前記固定部品は前記伝動チャンバの下端内壁に相通して設置される左右に対称的なスライド溝を含み、前記スライド溝の中には前記並進ブロックとスライドできるように連結されるスライド棒がスライドできるように連結され、前記スライド棒の下端には吸盤が設置されており、左右両側の前記スライド棒のうち互いに近接している側の端面には回転し回復できる当接ボードがスライドできるように連結されており、
水平面では前記吸盤によって固定し、非水平面上では前記当接ボードによって前記ベッドサイドブックライトの固定面を挟むことで前記ベッドサイドブックライトを固定することを特徴とする請求項４に記載のベッドサイドブックライト。
【手続補正２】
【補正対象書類名】明細書
【補正対象項目名】全文
【補正方法】変更
【補正の内容】
【発明の詳細な説明】
【技術分野】
【０００１】
本発明は灯具技術分のを取り上げて、具体的にはベッドサイドブックライトである。
【背景技術】
【０００２】
過半数の人が眠る前に本を読み、自分の文化リテラシーを充実し、しかし、天井ライトを開けて読書すれば、少し電気を無駄使いし、それに光源が上から直射して目に良くなく、そのためベッドサイドに置き、それに読書に使われるライトは業界発展の必然流れになる。
【先行技術文献】
【特許文献】
【０００３】
【特許文献１】中国特許出願公開第103672552号明細書
【発明の概要】
【発明が解決しようとする課題】
【０００４】
本発明の目的はベッドサイドブックライトを提供し、それは現有の技術の欠点を克服できる。
【課題を解決するための手段】
【０００５】
本発明におけるベッドサイドブックライトは、スイッチ箱を含み、前記スイッチ箱の中にはスイッチチャンバが設置されており、前記スイッチチャンバの円周面外側端面には環形のように分布される三つの電球カバーが設置されており、前記電球カバーの中には前記スイッチチャンバと相通する照射チャンバが設置されており、前記照射チャンバの中には光源装置が設置されており、前記スイッチチャンバの頂端内壁の中には上下に伸びている伝動軸が回転できるように設置されており、前記伝動軸には選択装置が設置されており、前記選択装置は前記光源装置に対して制御を行い、前記伝動軸の上端の末端には変形できる枠が設置されており、前記枠のうち前記伝動軸から離れている一端には固定軸が設置されており、前記固定軸の下端には台座が回転できるように連結され、前記台座の中には伝動チャンバが設置されており、前記伝動チャンバの中には挟み装置が設置されており、前記挟み装置の中には前記台座の下側端面から伸び出ており且つ左右に対称である固定部品が設置されており、
前記固定部品は置かれた場所の端面と接触し、前記挟み装置によって本発明を固定し、前記枠を手動で曲げ、輝度需要によって前記選択装置を下へ移動させ、前記光源装置を開けて読書する。
【０００６】
更なる技術方案、前記光源装置は前記照射チャンバの下端内壁に相通して設置される集光穴を含み、前記照射チャンバの頂端内壁には前記集光穴の上側に位置する電球が設置されており、前記照射チャンバの中には上下に伸びている駆動軸が回転できるように連結され、前記駆動軸には前記電球の下側に位置する遮光板が設置されており、前記駆動軸には前記遮光板の上側に位置する円盤状の回転ブロックが設置されており、前記回転ブロックの上側と前記照射チャンバの頂端内壁との間にはねじり撥条が連結されており、
前記回転ブロックを回し、前記遮光板を前記集光穴の上方に覆わせなくなり、更に前記電球の光源は前記集光穴から外側に照射できる。
【０００７】
更なる技術方案、前記選択装置は前記スイッチチャンバの頂端内壁に相通して設置されるスライドリングを含み、前記伝動軸には環形のように分布される三つの支持棒がスライドできるように連結され、前記支持棒の上端には前記スライドリングとスライドできるように連結され且つ高さが順に低くなる連結棒が設置されており、前記伝動軸には前記スイッチチャンバの頂端外側に位置する選択ボードがスプラインにより連結され、前記選択ボードの下側と前記スイッチチャンバの頂端端面との間には圧縮撥条が連結され、前記選択ボードには前記連結棒とスライドできるように連結される六つの挿入孔が設置されており、
前記選択ボードを押え、下への押さえた距離によって、前記挿入孔と前記連結棒との連結した数量が異なることで、前記選択ボードを回転させると異なった数の前記連結棒を回転連動させることができ、更に異なった数の前記支持棒を回転連動させることができ、更に異なった数の前記回転ブロック及び前記駆動軸を回転連動させることができ、更に前記遮光板と前記集光穴とを連動させてずらすことができ、この時、対応する前記電球の光が前記集光穴から射出される。
【０００８】
更なる技術方案、前記挟み装置は前記伝動チャンバと伝動できるように連結され且つ左右に伸びているネジボルトを含み、前記ネジボルトには左右に対称的な並進ブロックがネジ山により連結され、前記並進ブロックと前記固定部品との間がスライドできるように連結され、前記ネジボルトには右端の前記並進ブロックの右側に位置する左継手が設置されており、前記ネジボルトには前記左継手の左側に位置するラチェットがスライドできるように設置されており、前記伝動チャンバの頂端内壁には前記ラチェットと当接する位置制限ボードが設置されており、前記伝動チャンバの右端内壁の中には回転軸がスライドできるように連結され、前記回転軸には前記左継手と当接する右継手が設置されており、前記回転軸には前記右継手の右側に位置する固定リングが設置されており、前記固定リングには前記ラチェットと当接する推し棒が設置されており、前記回転軸の右端と前記伝動チャンバの右端端面との間にはリセット撥条が連結されており、
前記回転軸の右端を推し動かし、前記左継手と前記右継手とを当接させ、前記推し棒によって前記ラチェットを推し動かして前記位置制限ボードとの当接状態から離脱させ、前記ネジボルトが回転して前記並進ブロックを相互に近くように移動連動させる。
【０００９】
更なる技術方案、前記固定部品は前記伝動チャンバの下端内壁に相通して設置される左右に対称的なスライド溝を含み、前記スライド溝の中には前記並進ブロックとスライドできるように連結されるスライド棒がスライドできるように連結され、前記スライド棒の下端には吸盤が設置されており、左右両側の前記スライド棒のうち互いに近接している側の端面には回転し回復できる当接ボードがスライドできるように連結されており、
水平面では前記吸盤によって固定し、非水平面上では前記当接ボードによって前記ベッドサイドブックライトの固定面を挟むことで前記ベッドサイドブックライトを固定する。
【発明の効果】
【００１０】
本発明の有益な効果は下記の通りである：
【００１１】
本発明は異なる接触面によって、真空吸着又は挟みを利用して設備を固定し、適用性が高く、また、変形できる枠と光源の輝度を調節可能な構造を採用して、目が光源の直射或いは強光の刺激を受けないようにさせる。
【図面の簡単な説明】
【００１２】
便利に説明するため、本発明は下記の具体実施例及び附図によって詳しく説明する。
【図１】図１は本発明のベッドサイドブックライトの全体構成模式図であり；
【図２】図２は図１の「Ａ−Ａ」の構成模式図であり；
【図３】図３は図１の「Ｂ−Ｂ」の構成模式図であり；
【図４】図４は図１の「Ｃ」の拡大構成模式図である。
【発明を実施するための形態】
【００１３】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
本発明におけるベッドサイドブックライトは、スイッチ箱１１を含み、前記スイッチ箱１１の中にはスイッチチャンバ１２が設置されており、前記スイッチチャンバ１２の円周面外側端面には環形のように分布される三つの電球カバー３６が設置されており、前記電球カバー３６の中には前記スイッチチャンバ１２と相通する照射チャンバ３７が設置されており、前記照射チャンバ３７の中には光源装置９０１が設置されており、前記スイッチチャンバ１２の頂端内壁の中には上下に伸びている伝動軸２１が回転できるように設置されており、前記伝動軸２１には選択装置９０２が設置されており、前記選択装置９０２は前記光源装置９０１に対して制御を行い、前記伝動軸２１の上端の末端には変形できる枠２２が設置されており、前記枠２２のうち前記伝動軸２１から離れている一端には固定軸２８が設置されており、前記固定軸２８の下端には台座２５が回転できるように連結され、前記台座２５の中には伝動チャンバ２６が設置されており、前記伝動チャンバ２６の中には挟み装置９０３が設置されており、前記挟み装置９０３の中には前記台座２５の下側端面から伸び出ており且つ左右に対称である固定部品９０４が設置されており、
前記固定部品９０４は置かれた場所の端面と接触し、前記挟み装置９０３によって本発明を固定し、前記枠２２を手動で曲げ、輝度需要によって前記選択装置９０２を下へ移動させ、前記光源装置９０１を開けて読書する。
【００１５】
有益なように、前記光源装置９０１は前記照射チャンバ３７の下端内壁に相通して設置される集光穴１３を含み、前記照射チャンバ３７の頂端内壁には前記集光穴１３の上側に位置する電球１５が設置されており、前記照射チャンバ３７の中には上下に伸びている駆動軸３５が回転できるように連結され、前記駆動軸３５には前記電球１５の下側に位置する遮光板１４が設置されており、前記駆動軸３５には前記遮光板１４の上側に位置する円盤状の回転ブロック３４が設置されており、前記回転ブロック３４の上側と前記照射チャンバ３７の頂端内壁との間にはねじり撥条１６が連結されており、
前記回転ブロック３４を回し、前記遮光板１４を前記集光穴１３の上方に覆わせなくなり、更に前記電球１５の光源は前記集光穴１３から外側に照射できる。
【００１６】
有益なように、前記選択装置９０２は前記スイッチチャンバ１２の頂端内壁に相通して設置されるスライドリング１７を含み、前記伝動軸２１には環形のように分布される三つの支持棒２４がスライドできるように連結され、前記支持棒２４の上端には前記スライドリング１７とスライドできるように連結され且つ高さが順に低くなる連結棒２３が設置されており、前記伝動軸２１には前記スイッチチャンバ１２の頂端外側に位置する選択ボード１９がスプラインにより連結され、前記選択ボード１９の下側と前記スイッチチャンバ１２の頂端端面との間には圧縮撥条１８が連結され、前記選択ボード１９には前記連結棒２３とスライドできるように連結される六つの挿入孔２０が設置されており、
前記選択ボード１９を押え、下への押さえた距離によって、前記挿入孔２０と前記連結棒２３との連結した数量が異なることで、前記選択ボード１９を回転させると異なった数の前記連結棒２３を回転連動させることができ、更に異なった数の前記支持棒２４を回転連動させることができ、更に異なった数の前記回転ブロック３４及び前記駆動軸３５を回転連動させることができ、更に前記遮光板１４と前記集光穴１３とを連動させてずらすことができ、この時、対応する前記電球１５の光が前記集光穴１３から射出される。
【００１７】
有益なように、前記挟み装置９０３は前記伝動チャンバ２６と伝動できるように連結され且つ左右に伸びているネジボルト３３を含み、前記ネジボルト３３には左右に対称的な並進ブロック２７がネジ山により連結され、前記並進ブロック２７と前記固定部品９０４との間がスライドできるように連結され、前記ネジボルト３３には右端の前記並進ブロック２７の右側に位置する左継手４５が設置されており、前記ネジボルト３３には前記左継手４５の左側に位置するラチェット４３がスライドできるように設置されており、前記伝動チャンバ２６の頂端内壁には前記ラチェット４３と当接する位置制限ボード３８が設置されており、前記伝動チャンバ２６の右端内壁の中には回転軸４１がスライドできるように連結され、前記回転軸４１には前記左継手４５と当接する右継手４６が設置されており、前記回転軸４１には前記右継手４６の右側に位置する固定リング４０が設置されており、前記固定リング４０には前記ラチェット４３と当接する推し棒３９が設置されており、前記回転軸４１の右端と前記伝動チャンバ２６の右端端面との間にはリセット撥条４２が連結されており、
前記回転軸４１の右端を推し動かし、前記左継手４５と前記右継手４６とを当接させ、前記推し棒３９によって前記ラチェット４３を推し動かして前記位置制限ボード３８との当接状態から離脱させ、前記ネジボルト３３が回転して前記並進ブロック２７を相互に近くように移動連動させる。
【００１８】
有益なように、前記固定部品９０４は前記伝動チャンバ２６の下端内壁に相通して設置される左右に対称的なスライド溝３２を含み、前記スライド溝３２の中には前記並進ブロック２７とスライドできるように連結されるスライド棒３１がスライドできるように連結され、前記スライド棒３１の下端には吸盤３０が設置されており、左右両側の前記スライド棒３１のうち互いに近接している側の端面には回転し回復できる当接ボード２９がスライドできるように連結されており、
水平面では前記吸盤３０によって固定し、非水平面上では前記当接ボード２９によって前記ベッドサイドブックライトの固定面を挟むことで前記ベッドサイドブックライトを固定する。
【００１９】
初期状態に、連結棒２３はまだ挿入孔２０と連結離脱しなく、且つ支持棒２４と回転ブロック３４との間がすれ違って分布され、この時、遮光板１４が集光穴１３の上端に覆い、光源は電球カバー３６の外灘に射出できなく、左継手４５と右継手４６とがまだ当接連結されなく、同時にラチェット４３と位置制限ボード３８とが当接されてネジボルト３３の回転を制限する。
【００２０】
装置が水平面上で作動する時、吸盤３０を直接に力を入れて強く押え、大気圧によって本発明を吸い付け、非水平面上で作動する時、回転軸４１を推し動かして左へ移動させ、左継手４５と右継手４６が当接するようになる時、推し棒３９がラチェット４３を推し動かして左へ移動させて位置制限ボード３８との当接を離脱させ、それによりネジボルト３３の回転に対する制限を解除し、回転軸４１を回して右継手４６と、左継手４５とによってネジボルト３３を回転連動させ、ネジボルト３３はネジ山伝動によって並進ブロック２７を相互に近づくように移動させ、それによりスライド棒３１が移動して当接ボード２９を固定面にくっつかせ、当接ボード２９が完全に広げて設備をロックする時、使用者は自身の需要によって枠２２を折畳み、スイッチ箱１１を目の下側に位置させ、そして自身の需要によって前記選択ボード２９を押えて下へ移動させ、挿入孔２０と連結棒２３とをスライドできるように連結し、そして選択ボード１９を六分の一周に回転し、連結棒２３をスライドリング１７の中でスライド連動させ、支持棒２４と回転ブロック３４との当接によって、回転ブロック３４に駆動軸３４を回転連動させて電球１５を灯し、同時に、駆動軸３５によって遮光板１４を回し、それにより電球１５の光が集光穴１３を通じて外側に照射し、読書環境を提供する。
【００２１】
作業が終わった後、圧縮撥条１８と、ねじり撥条１６と、リセット撥条４２の弾力回復によって各部品を復帰させ、次の使用に便利を与える。
【００２２】
以上の方式により、本分のの技術人員は本発明の範囲の中に作業モードによって様々な変化ができる。
【手続補正３】
【補正対象書類名】図面
【補正対象項目名】図２
【補正方法】変更
【補正の内容】
【図２】
2020170695.tif 000007
【手続補正４】
【補正対象書類名】図面
【補正対象項目名】図３
【補正方法】変更
【補正の内容】
【図３】
2020170695.tif 000008
【手続補正５】
【補正対象書類名】図面
【補正対象項目名】図４
【補正方法】変更
【補正の内容】
【図４】
2020170695.tif 000009